(57)【要約】【課題】肘の窮屈さを解消し、打撃用として円滑に肘を屈伸できるエルボガードを提供する。【解決手段】肘部に装着される肘当て部３と、上腕部に装着される上腕保護部１とを、備え、上腕保護部１と肘当て部３が、伸縮自在の弾性帯片４，４によって連結されている。【選択図】図１
2017118909.tif 000002
【特許請求の範囲】
【請求項１】
肘部（Ｅ）に装着される肘当て部（３）と、上腕部（Ｆ）に装着される上腕保護部（１）とを、備え、
該上腕保護部（１）と上記肘当て部（３）が、伸縮自在の弾性帯片（４）（４）によって連結されていることを特徴とするエルボガード。
【請求項２】
肘部（Ｅ）に装着される肘当て部（３）と、前腕部（Ｇ）に装着される前腕保護部（２）とを、備え、
該前腕保護部（２）と上記肘当て部（３）が、伸縮自在の弾性帯片（４）（４）によって連結されていることを特徴とするエルボガード。
【請求項３】
肘部（Ｅ）に装着される肘当て部（３）と、上腕部（Ｆ）に装着される上腕保護部（１）と、前腕部（Ｇ）に装着される前腕保護部（２）とを、備え、
上記肘当て部（３）が、伸縮自在の弾性帯片（４）（４）によって、上記上腕保護部（１）・上記前腕保護部（２）に連結されていることを特徴とするエルボガード。
【請求項４】
上記肘当て部（３）は、硬質カップ部（６）と緩衝用パッド部（５）が積層一体化され、上記弾性帯片（４）（４）は、２本が左右方向に分離し、かつ、上記緩衝用パッド部（５）の両側縁に対応して配設され、
上記緩衝用パッド部（５）の裏面中央部（１０）と２本の上記弾性帯片（４）（４）によって、上記肘部（Ｅ）を受ける肘安定保持部（９）が形成されている請求項１，２又は３記載のエルボガード。
【発明の詳細な説明】
【技術分野】
【０００１】
本発明は、球技用のエルボガードに関する。
【背景技術】
【０００２】
従来、野球やソフトボール等の球技に於て、投球されたボールが打者の肘部及び前腕部に直接当たらないように装着するエルボガードが使用されている（特許文献１参照）。
【先行技術文献】
【特許文献】
【０００３】
【特許文献１】特表２００３−５０５１７３号公報
【発明の概要】
【発明が解決しようとする課題】
【０００４】
しかし、特許文献１記載のエルボガードは、プロテクターを肘部から前腕部にわたって巻き付けて装着する為、肘を屈伸させる際、使用者が窮屈さを感じ、快適にプレーできないという欠点があった。
【０００５】
そこで、本発明は、肘の窮屈さを解消し、打撃用として円滑に肘を屈伸できるエルボガードを提供することを目的とする。
【課題を解決するための手段】
【０００６】
本発明に係るエルボガードは、肘部に装着される肘当て部と、上腕部に装着される上腕保護部とを、備え、該上腕保護部と上記肘当て部が、伸縮自在の弾性帯片によって連結されているものである。
また、肘部に装着される肘当て部と、前腕部に装着される前腕保護部とを、備え、該前腕保護部と上記肘当て部が、伸縮自在の弾性帯片によって連結されているものである。
【０００７】
また、肘部に装着される肘当て部と、上腕部に装着される上腕保護部と、前腕部に装着される前腕保護部とを、備え、上記肘当て部が、伸縮自在の弾性帯片によって、上記上腕保護部・上記前腕保護部に連結されているものである。
また、上記肘当て部は、硬質カップ部と緩衝用パッド部が積層一体化され、上記弾性帯片は、２本が左右方向に分離し、かつ、上記緩衝用パッド部の両側縁に対応して配設され、上記緩衝用パッド部の裏面中央部と２本の上記弾性帯片によって、上記肘部を受ける肘安定保持部が形成されているものである。
【発明の効果】
【０００８】
本発明のエルボガードによれば、弾性帯片が弾発的に伸び縮みして、肘部を自由自在に屈伸させることができる。肘部を屈伸させる際の窮屈さを解消し、使用者が快適にプレーできる。
【図面の簡単な説明】
【０００９】
【図１】本発明の実施の一形態を示した図であり、（Ａ）は全体の背面図であり、（Ｂ）は肘当て部の横断面を示す断面平面図である。
【図２】図１の断面図であり、（Ａ）は図１のＡ−Ａ断面図であり、（Ｂ）はその要部拡大断面図である。
【図３】本発明の他の実施形態を示した背面図である。
【図４】図３のＢ−Ｂ断面図である。
【図５】本発明の別の実施形態を示した背面図である。
【図６】図５のＣ−Ｃ断面図である。
【図７】本発明のさらに他の実施形態を示した背面図である。
【図８】図７の断面図であり、（Ａ）は図７のＤ−Ｄ断面図であり、（Ｂ）はその要部拡大断面図である。
【図９】本発明のエルボガードの使用状態を示した斜視図である。
【図１０】本発明のエルボガードの使用状態を一部断面で示した図である。
【発明を実施するための形態】
【００１０】
以下、実施の形態を示す図面に基づき本発明を詳説する。
図１と図２に示すように、本発明のエルボガードは、肘当て部３と、肘当て部３の上方に取着される上腕保護部１とを、備えている。
肘当て部３は、硬質の合成樹脂から成る弯曲形状の硬質カップ部６と、硬質カップ部６の裏面側に配設される緩衝用パッド部５が、積層一体化されている。硬質カップ部６の硬度は、ショアーＤ６５〜Ｄ９５に設定するのが好ましい。なお、肘当て部３の上方とは、装着時に於ける上腕側とし、下方を、装着時に於ける前腕側とする。
図２（Ｂ）に示すように、緩衝用パッド部５は、３層構造となっており、ナイロン系又はポリエステル系合成樹脂あるいは合成皮革から成る表皮１１と、ナイロン系又はポリエステル系合成樹脂から成る裏地１２と、表皮１１と裏地１２に挟まれたポリエチレン系発泡樹脂又はポリウレタン系発泡樹脂から成る発泡内装体１３とを、積層状に有している。図１（Ａ）では、緩衝用パッド部５の外周縁部は、全周にわたって縁巻部１９が縫製されている。なお、硬質カップ部６と緩衝用パッド部５は、縫着部８にて一体状に縫着されている。
【００１１】
図１（Ａ）に示すように、上腕保護部１と肘当て部３は、伸縮自在の弾性帯片４，４によって連結されている。
各弾性帯片４は、伸縮自在のゴム糸を編んで（織って）帯状に形成されており、この２本の弾性帯片４，４が左右方向に分離し、かつ、緩衝用パッド部５の両側縁に対応するように配設されている。弾性帯片４は、緩衝用パッド部５の裏面側から、長手方向一端部１４が帯巾方向の縫着部２５にて縫着されている。弾性帯片４は、肘当て部３の下端縁寄りまで延伸しており、弾性帯片４の一端部１４と緩衝用パッド部５との縫着部２５は、肘当て部３の下端縁寄りに配設されている。弾性帯片４の長手方向他端部１５は、上腕保護部１に縫着されている。
図１（Ｂ）に示すように、緩衝用パッド部５の裏面中央部１０と２本の弾性帯片４，４によって、装着時に肘部Ｅを受ける肘安定保持部９が形成されている。肘安定保持部９は、２本の弾性帯片４，４によって肘部Ｅを挟み込んで保持し、肘当て部３の回動を抑制して、エルボガードの位置ずれを防止する。
【００１２】
上腕保護部１は、硬質の合成樹脂から成る硬質弯曲板部１６と、硬質弯曲板部１６の裏面側に配設される緩衝用パッド部１７が、積層一体化されている。上腕保護部１は、下方突出状パッド片７を一体に有し、弾性帯片４（の長手方向他端部１５）と共に、パッド片７の上半部が硬質弯曲板部１６と緩衝用パッド部１７の間に挟み込まれた状態で、縫着線部２６にて縫着されている。パッド片７の下端縁には、装着時に肘部Ｅを収納・保持するための円弧状切欠部７Ａが形成されている。
緩衝用パッド部１７及びパッド片７は、緩衝用パッド部５と同様に３層構造となっており（図示省略）、外周縁部には全周にわたって縁巻部が縫製されている。なお、硬質弯曲板部１６と緩衝用パッド部１７は、縫着部１８にて一体状に縫着されている。
【００１３】
図３と図４では、下方突出状パッド片７が省略されている。肘当て部３と上腕保護部１のそれ以外の構成は、図１と図２に示す実施形態と同様であるため、詳しい説明を省略する。
図１と図３に示すように、上腕保護部１には、上腕巻付用のベルト４０が付設されている。ベルト４０は、伸縮自在の弾性帯体から成り、リング４１に挿通して折り返して、面状ファスナー等の係止手段によって係止可能に構成されている。
また、肘当て部３には、肘巻付用のベルト４２が付設されている。ベルト４２も同様に、リング４３に挿通して折り返して、面状ファスナー等の係止手段によって係止可能に構成されている。なお、肘巻付用のベルト４２は、上腕巻付用のベルト４０より帯巾を小さく設定するのが好ましい。
【００１４】
次に、図５と図６に示すように、本発明のエルボガードは、肘当て部３と、肘当て部３の下方に取着される前腕保護部２とを、備えている。
前腕保護部２は、硬質の合成樹脂から成る硬質樹脂板２０と、硬質樹脂板２０の裏面側に配設されるクッションパッド２１が、積層一体化されている。クッションパッド２１は、肘当て部３の緩衝用パッド部５と同様に３層構造となっている（図２（Ｂ）参照）。クッションパッド２１の外周縁部は、全周にわたって縁巻部２２が縫製されている。硬質樹脂板２０とクッションパッド２１は、縫着部２３にて一体状に縫着されている。前腕保護部２には、前腕巻付用のベルト４４が付設されている。ベルト４４は、伸縮自在の弾性帯体から成り、リング４５に挿通して折り返して、面状ファスナー等の係止手段によって係止可能に構成されている。
【００１５】
前腕保護部２と肘当て部３が、伸縮自在の弾性帯片４，４によって連結されている。
２本の弾性帯片４，４が左右方向に分離し、かつ、緩衝用パッド部５の両側縁に対応して配設されている。弾性帯片４は、緩衝用パッド部５の裏面側から、長手方向一端部１４が帯巾方向の縫着部２７にて縫着されている。弾性帯片４は、肘当て部３の上端縁寄りまで延伸しており、弾性帯片４の一端部１４と緩衝用パッド部５との縫着部２７は、肘当て部３の上端縁寄りに配設されている。弾性帯片４の長手方向他端部１５は、前腕保護部２の硬質樹脂板２０とクッションパッド２１に挟み込まれた状態で、縫着線部２８にて縫着されている。緩衝用パッド部５の裏面中央部１０と２本の弾性帯片４，４によって、装着時に肘部Ｅを受ける肘安定保持部９が形成されている。
【００１６】
次に、図７と図８では、肘当て部３と、肘当て部３の上腕側に取着される上腕保護部１と、肘当て部３の前腕側に取着される前腕保護部２とを、備えている。
図８（Ｂ）に示すように、上腕保護部１は、硬質の合成樹脂から成る硬質芯材３０を内有している。上腕保護部１は、ナイロン系又はポリエステル系合成樹脂あるいは合成皮革から成る表皮３１と、帯状に形成された複数本の硬質芯材３０と、ポリエチレン系発泡樹脂又はポリウレタン系発泡樹脂から成る発泡内装体３３と、ナイロン系又はポリエステル系合成樹脂から成る裏地３２とを、積層状に有する４層構造となっている。上腕保護部１の外周縁部は、全周にわたって縁巻部３４が縫製されている。上腕保護部１は、上下方向に複数本のステッチ３５が縫製されている。このステッチ３５により、発泡内装体３３が圧縮されて上腕保護部１の表て面と裏面に（ステッチ３５に沿って）窪みが凹設され、容易に折曲できるように形成されている。
【００１７】
図７・図８に示す前腕保護部２は、上腕保護部１と同様に、表皮３１と硬質芯材３０と発泡内装体３３と裏地３２とを積層状に有する４層構造となっている（図８（Ｂ）参照）。前腕保護部２の外周縁部は、全周にわたって縁巻部３６が縫製されている。前腕保護部２は、上下方向に複数本のステッチ３５が縫製されている。
【００１８】
肘当て部３が、伸縮自在の弾性帯片４，４によって、上腕保護部１・前腕保護部２と連結されている。
２本の弾性帯片４，４が左右方向に分離し、かつ、緩衝用パッド部５の両側縁に対応して配設されている。弾性帯片４は、長手方向中間部が緩衝用パッド部５に帯巾方向の縫着部２９にて縫着され、長手方向一端部１４が上腕保護部１に縫着部４７にて縫着され、長手方向他端部１５が前腕保護部２に縫着部４８にて縫着されている。
【００１９】
緩衝用パッド部５の裏面中央部１０と２本の弾性帯片４，４によって、装着時に肘部Ｅを受ける肘安定保持部９が形成されている。
上腕保護部１の下端縁に、肘安定保持部９に対応して円弧状切欠部３７が形成され、かつ、前腕保護部２の上端縁に、肘安定保持部９に対応して円弧状切欠部３８が形成されている。上腕保護部１の円弧状切欠部３７は、２本の弾性帯片４，４に沿って下方に突出する一対の舌片４９，４９によって形成されている。前腕保護部２の円弧状切欠部３８は、２本の弾性帯片４，４に沿って上方に突出する一対の舌片５０，５０によって形成されている。
【００２０】
上腕保護部１には、上腕巻付用のベルト４０が付設されている。ベルト４０は、伸縮自在の弾性帯体から成り、リング４１に挿通して折り返して、面状ファスナー等の係止手段によって係止可能に構成されている。前腕保護部２には、前腕巻付用のベルト４４が付設されている。ベルト４４は、伸縮自在の弾性帯体から成り、リング４５に挿通して折り返して、面状ファスナー等の係止手段によって係止可能に構成されている。前腕巻付用のベルト４４は、上腕巻付用のベルト４０より帯巾を小さく設定するのが好ましい。なお、肘当て部３は、ベルトが省略されている。
【００２１】
上述した本発明のエルボガードの使用方法（作用）について説明する。
図９に示すように、本発明のエルボガードは、肘部Ｅに肘当て部３を装着して、野球、ソフトボール等のスポーツ（球技）の打者用として使用される。肘当て部３は、投球されたボールの直撃から肘部Ｅを保護する。上腕保護部１は、使用者の上腕部Ｆにベルト４０を巻き付けて装着され、上腕部Ｆを保護し、前腕保護部２は、使用者の前腕部Ｇにベルト４４を巻き付けて装着され、前腕部Ｇを保護する。なお、図１のように、肘当て部３に肘巻付用のベルト４２が付設されている場合は、肘部Ｅにベルト４２を巻き付けて装着する。
【００２２】
上腕保護部１・前腕保護部２は、弾性帯片４，４によって、図中矢印Ｍ1，Ｍ2のように弾発的に伸びたり縮んだりできるように取付けられている。使用者が、矢印Ｓで示すように肘を屈伸させる際、上腕保護部１・前腕保護部２が上腕部Ｆ・前腕部Ｇの動きに（自由自在に）追従して、使用者の違和感（窮屈さ）を解消する。
【００２３】
図１０に示すように、本発明のエルボガードは、装着状態で、肘部Ｅが肘安定保持部９に嵌まり、肘当て部３の廻り止めとなって位置ずれを防止する。２本の弾性帯片４，４が、肘部Ｅを左右から挟み込んで保持し、肘の屈伸動作を邪魔することなく、肘当て部３の回動を抑制する。
図７に示すように、上腕保護部１の下端縁に円弧状切欠部３７が形成され、かつ、前腕保護部２の上端縁に円弧状切欠部３８が形成されることで、円弧状切欠部３７，３８間に肘部Ｅが深く嵌まり込んで、上腕保護部１の下端縁と前腕保護部２の上端縁によって、肘部Ｅが包み込まれるような固定装着感（ホールド感）が向上し、プレー中に肘部Ｅの曲げ伸ばしを繰返しても、確実に位置ずれを防止し得る。
【００２４】
なお、本発明は、設計変更可能であって、例えば、肘当て部３、及び、上腕保護部１・前腕保護部２のデザインは要旨を変更しない範囲で、自由に変更できる。肘当て部３は、硬質カップ部６と緩衝用パッド部５が、縫着によって積層一体化されているが、リベット等により固着したものであって良い。
【００２５】
以上のように、本発明に係るエルボガードは、肘部Ｅに装着される肘当て部３と、上腕部Ｆに装着される上腕保護部１とを、備え、該上腕保護部１と上記肘当て部３が、伸縮自在の弾性帯片４，４によって連結されているので、弾性帯片４，４が弾発的に伸び縮みして、肘部Ｅを自由自在に屈伸させることができる。上腕保護部１が上腕部Ｆの動きに追従して、肘部Ｅを屈伸させる際の窮屈さ（違和感）を解消し、使用者が快適にプレーできる。
【００２６】
また、肘部Ｅに装着される肘当て部３と、前腕部Ｇに装着される前腕保護部２とを、備え、該前腕保護部２と上記肘当て部３が、伸縮自在の弾性帯片４，４によって連結されているので、弾性帯片４，４が弾発的に伸び縮みして、肘部Ｅを自由自在に屈伸させることができる。前腕保護部２が前腕部Ｇの動きに追従して、肘部Ｅを屈伸させる際の窮屈さ（違和感）を解消し、使用者が快適にプレーできる。
【００２７】
また、肘部Ｅに装着される肘当て部３と、上腕部Ｆに装着される上腕保護部１と、前腕部Ｇに装着される前腕保護部２とを、備え、上記肘当て部３が、伸縮自在の弾性帯片４，４によって、上記上腕保護部１・上記前腕保護部２に連結されているので、弾性帯片４，４が弾発的に伸び縮みして、肘部Ｅを自由自在に屈伸させることができる。上腕保護部１・前腕保護部２が上腕部Ｆ・前腕部Ｇの動きに追従して、肘部Ｅを屈伸させる際の窮屈さ（違和感）を解消し、使用者が快適にプレーできる。
【００２８】
また、上記肘当て部３は、硬質カップ部６と緩衝用パッド部５が積層一体化され、上記弾性帯片４，４は、２本が左右方向に分離し、かつ、上記緩衝用パッド部５の両側縁に対応して配設され、上記緩衝用パッド部５の裏面中央部１０と２本の上記弾性帯片４，４によって、上記肘部Ｅを受ける肘安定保持部９が形成されているので、装着状態で、肘部Ｅが肘安定保持部９に嵌まり、肘当て部３の廻り止めとなって位置ずれを防止できる。２本の弾性帯片４，４が、肘部Ｅを左右から挟み込んで保持し、肘の屈伸動作を邪魔することなく、肘当て部３の回動を抑制して位置ずれを確実に防止できる。
【符号の説明】
【００２９】
１  上腕保護部
２  前腕保護部
３  肘当て部
４  弾性帯片
５  緩衝用パッド部
６  硬質カップ部
９  肘安定保持部
１０  裏面中央部
Ｅ  肘部
Ｆ  上腕部
Ｇ  前腕部
【図１】
2017118909.tif 000003
【図２】
2017118909.tif 000004
【図３】
2017118909.tif 000005
【図４】
2017118909.tif 000006
【図５】
2017118909.tif 000007
【図６】
2017118909.tif 000008
【図７】
2017118909.tif 000009
【図８】
2017118909.tif 000010
【図９】
2017118909.tif 000011
【図１０】
2017118909.tif 000012
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
肘部（Ｅ）に装着される肘当て部（３）と、上腕部（Ｆ）に装着される上腕保護部（１）とを、備え、
該上腕保護部（１）と上記肘当て部（３）が、伸縮自在の弾性帯片（４）（４）によって連結され、
上記肘当て部（３）は、硬質カップ部（６）と緩衝用パッド部（５）が積層一体化され、上記弾性帯片（４）（４）は、２本が左右方向に分離し、かつ、上記緩衝用パッド部（５）の両側縁に対応して配設され、
上記緩衝用パッド部（５）の裏面中央部（１０）と２本の上記弾性帯片（４）（４）によって、上記肘部（Ｅ）を受ける肘安定保持部（９）が形成されていることを特徴とするエルボガード。
【請求項２】
肘部（Ｅ）に装着される肘当て部（３）と、前腕部（Ｇ）に装着される前腕保護部（２）とを、備え、
該前腕保護部（２）と上記肘当て部（３）が、伸縮自在の弾性帯片（４）（４）によって連結され、
上記肘当て部（３）は、硬質カップ部（６）と緩衝用パッド部（５）が積層一体化され、上記弾性帯片（４）（４）は、２本が左右方向に分離し、かつ、上記緩衝用パッド部（５）の両側縁に対応して配設され、
上記緩衝用パッド部（５）の裏面中央部（１０）と２本の上記弾性帯片（４）（４）によって、上記肘部（Ｅ）を受ける肘安定保持部（９）が形成されていることを特徴とするエルボガード。
【請求項３】
肘部（Ｅ）に装着される肘当て部（３）と、上腕部（Ｆ）に装着される上腕保護部（１）と、前腕部（Ｇ）に装着される前腕保護部（２）とを、備え、
上記肘当て部（３）が、伸縮自在の弾性帯片（４）（４）によって、上記上腕保護部（１）・上記前腕保護部（２）に連結され、
上記肘当て部（３）は、硬質カップ部（６）と緩衝用パッド部（５）が積層一体化され、上記弾性帯片（４）（４）は、２本が左右方向に分離し、かつ、上記緩衝用パッド部（５）の両側縁に対応して配設され、
上記緩衝用パッド部（５）の裏面中央部（１０）と２本の上記弾性帯片（４）（４）によって、上記肘部（Ｅ）を受ける肘安定保持部（９）が形成されていることを特徴とするエルボガード。
【手続補正２】
【補正対象書類名】明細書
【補正対象項目名】０００６
【補正方法】変更
【補正の内容】
【０００６】
本発明に係るエルボガードは、肘部に装着される肘当て部と、上腕部に装着される上腕保護部とを、備え、該上腕保護部と上記肘当て部が、伸縮自在の弾性帯片によって連結され、上記肘当て部は、硬質カップ部と緩衝用パッド部が積層一体化され、上記弾性帯片は、２本が左右方向に分離し、かつ、上記緩衝用パッド部の両側縁に対応して配設され、上記緩衝用パッド部の裏面中央部と２本の上記弾性帯片によって、上記肘部を受ける肘安定保持部が形成されているものである。
また、肘部に装着される肘当て部と、前腕部に装着される前腕保護部とを、備え、該前腕保護部と上記肘当て部が、伸縮自在の弾性帯片によって連結され、上記肘当て部は、硬質カップ部と緩衝用パッド部が積層一体化され、上記弾性帯片は、２本が左右方向に分離し、かつ、上記緩衝用パッド部の両側縁に対応して配設され、上記緩衝用パッド部の裏面中央部と２本の上記弾性帯片によって、上記肘部を受ける肘安定保持部が形成されているものである。
【手続補正３】
【補正対象書類名】明細書
【補正対象項目名】０００７
【補正方法】変更
【補正の内容】
【０００７】
また、肘部に装着される肘当て部と、上腕部に装着される上腕保護部と、前腕部に装着される前腕保護部とを、備え、上記肘当て部が、伸縮自在の弾性帯片によって、上記上腕保護部・上記前腕保護部に連結され、上記肘当て部は、硬質カップ部と緩衝用パッド部が積層一体化され、上記弾性帯片は、２本が左右方向に分離し、かつ、上記緩衝用パッド部の両側縁に対応して配設され、上記緩衝用パッド部の裏面中央部と２本の上記弾性帯片によって、上記肘部を受ける肘安定保持部が形成されているものである。